(57)【要約】      （修正有）【課題】ボルトがアンカーナットから脱落することを防止するための拡張アンカー装置を提供する。【解決手段】筒状で内周面に雌ネジ部２１が形成され、底部２ｂ側に複数の割り溝２２が設けられて拡開可能な拡開部２３を有するアンカーナット２と、アンカーナット２の雌ネジ溝２１に螺合される雄ネジ溝４１を有するアンカーボルト４と、拡開部２３に挿入されるコーン３とを備えた拡張アンカー１であって、アンカーボルト４の雄ネジ溝４１に嵌り込むコイル部５１を有するコイルバネ５と、コイル部５１の外周の接線上に沿い延出する一端部５２と、コイル部５１の軸線に対して平行に延出する他端部５３とよりなり、一端部５２を、アンカーナット２の周壁２ａに切欠いた開口２６に非接触状態で突出し、他端部５３を、周壁２ａに穿設したスリット２５に係止してコイルバネのアンカーナットに対する回動を規制するとともに、スリット内で軸線方向に移動可能にする。【選択図】図２
2017166687.tif 000002
【特許請求の範囲】
【請求項１】
筒状で内周面に雌ネジ部が形成され、底部側に複数の割り溝が設けられて拡開可能な拡開部を有するアンカーナットと、前記アンカーナットの前記雌ネジ溝に螺合される雄ネジ溝を有するアンカーボルトと、前記拡開部に挿入されるコーンとを備えた拡張アンカーであって、
前記アンカーボルトの前記雄ネジ溝に嵌り込むコイル部を有するコイルバネと、このコイルバネを収容可能とし、前記雌ネジ溝より前記アンカーナットの先端部側に位置するバネ収納部と、を含み、
前記コイルバネは前記コイル部の外周の接線上に沿い延出する一端部と、前記コイル部の軸線に対して平行に延出する他端部とよりなり、
前記コイルバネの前記一端部を、前記アンカーナットの周壁に切欠いた開口に非接触状態で突出し、前記コイルバネの前記他端部を、前記周壁に穿設したスリットに係止して前記コイルバネの前記アンカーナットに対する回動を規制するとともに、前記他端部を前記スリット内で軸線方向に移動可能にすることを特徴とする拡張アンカー装置。
【請求項２】
前記コイルバネの前記一端部は前記コイル部の外周の接線上に沿い前記アンカーボルトの離脱方向に延出し、前記一端部の先端が前記アンカーナットの外周以内になるよう前記開口に突出することを特徴とする請求項１に記載の拡張アンカー装置。
【請求項３】
前記コイルバネが前記バネ収納室から抜け出ることを阻止する抜け止め手段を備えることを特徴とする請求項１又は請求項２に記載の拡張アンカー装置。
【発明の詳細な説明】
【技術分野】
【０００１】  この発明は、振動などでアンカーナットに螺合したアンカーボルトが緩み、このアンカーボルトがアンカーナットから脱落することを防止するための拡張アンカー装置に関するものである。
【背景技術】
【０００２】  周知のように、コンクリートに穿設した下穴に拡開部を有する筒状のアンカーを所定の深さまで挿入し、打撃等により筒状のアンカーの拡開部内に、コーンの打ち込みによるコーンの圧入により拡開部を凸状に拡開して、拡開部をコンクリートの下穴の周壁に喰い込ませて楔作用で筒状のアンカーにかかる引張力に抵抗するようにした拡張アンカーがある。（特許文献１）【０００３】  この特許文献１に記載の筒状のアンカーでは、前記コーンの挿入で拡開部が広がる形状にするので、この形状の変化が影響して筒状のアンカーの雌ネジ溝の内径が大きくなり、筒状のアンカーにネジ込まれるアンカーボルトのネジ込み嵌合を緩くし、しかも、アンカーボルトの螺合する雌ネジ長が短いので、構築物からの振動が筒状のアンカーに伝わり、筒状のアンカーの雌ネジにネジ込まれているアンカーボルトが緩んでアンカーから脱落してしまう虞があるとともに、筒状のアンカーにアンカーボルトを螺合することが円滑にできないなどの問題があった。
【先行技術文献】
【特許文献】
【０００４】
【特許文献１】特開２００２−３５６８４８号公報
【発明の概要】
【発明が解決しようとする課題】
【０００５】  この発明は、以上のようなことを考慮してなされたもので、コンクリートなどの構築物に固定されるアンカーにアンカーボルトが円滑に螺合され、長期間にわたって振動や外力等が作用することによるアンカーボルトの緩みによる脱落を確実に防止することができ、しかも、脱落を防止するための加工が少なく製作が容易な拡張アンカー装置を提供することを目的とする。
【課題を解決するための手段】
【０００６】  前記課題を解決し、かつ目的を達成するために、この発明は、以下のように構成した。【０００７】  請求項１に記載の発明は、筒状で内周面に雌ネジ部が形成され、底部側に複数の割り溝が設けられて拡開可能な拡開部を有するアンカーナットと、前記アンカーナットの前記雌ネジ溝に螺合される雄ネジ溝を有するアンカーボルトと、前記拡開部に挿入されるコーンとを備えた拡張アンカーであって、
前記アンカーボルトの前記雄ネジ溝に嵌り込むコイル部を有するコイルバネと、このコイルバネを収容可能とし、前記雌ネジ溝より前記アンカーナットの先端部側に位置するバネ収納部と、を含み、
前記コイルバネは前記コイル部の外周の接線上に沿い延出する一端部と、前記コイル部の軸線に対して平行に延出する他端部とよりなり、
前記コイルバネの前記一端部を、前記アンカーナットの周壁に切欠いた開口に非接触状態で突出し、前記コイルバネの前記他端部を、前記周壁に穿設したスリットに係止して前記コイルバネの前記アンカーナットに対する回動を規制するとともに、前記他端部を前記スリット内で軸線方向に移動可能にすることを特徴とする拡張アンカー装置である。【０００８】  請求項２に記載の発明は、前記コイルバネの前記一端部は前記コイル部の外周の接線上に沿い前記アンカーボルトの離脱方向に延出し、前記一端部の先端が前記アンカーナットの外周以内になるよう前記開口に突出することを特徴とする請求項１に記載の拡張アンカー装置である。【０００９】  請求項３に記載の発明は、前記コイルバネが前記バネ収納室から抜け出ることを阻止する抜け止め手段を備えることを特徴とする請求項１又は請求項２に記載の拡張アンカー装置である。
【発明の効果】
【００１０】  前記構成により、この発明は、以下のような効果を有する。【００１１】  請求項１に記載の発明では、筒状で内周面に雌ネジ部が形成され、底部側に複数の割り溝が設けられて拡開可能な拡開部を有するアンカーナットと、前記アンカーナットの前記雌ネジ溝に螺合される雄ネジ溝を有するアンカーボルトと、前記拡開部に挿入されるコーンとを備えた拡張アンカーであって、
前記アンカーボルトの前記雄ネジ溝に嵌り込むコイル部を有するコイルバネと、このコイルバネを収容可能とし、前記雌ネジ溝より前記アンカーナットの先端部側に位置するバネ収納部と、を含み、
前記コイルバネは前記コイル部の外周の接線上に沿い延出する一端部と、前記コイル部の軸線に対して平行に延出する他端部とよりなり、前記コイルバネの前記一端部を、前記アンカーナットの周壁に切欠いた開口に非接触状態で突出し、前記コイルバネの前記他端部を、前記周壁に穿設したスリットに係止して前記コイルバネの前記アンカーナットに対する回動を規制するので、前記アンカーナットに螺合した前記アンカーボルトの離脱方向への回転に対し、前記アンカーボルトの前記雄ネジ溝に前記コイルバネの前記コイル部を密着させて回転を阻止することになり、構築物から前記アンカーナットに伝わる振動などで、前記アンカーナットに螺合する前記アンカーボルトが緩み脱落することを確実に防止できる。【００１２】  しかも、前記他端部を前記スリット内で軸線方向に移動可能にすることにより、前記コイルバネの前記コイル部に前記アンカーボルトの前記雄ネジ溝が螺合し始めると、前記コイルバネの前記他端部が前記スリット内で軸方向に移動し、前記アンカーボルトの前記雄ネジ溝のピッチに前記コイル部のピッチが合致するようにできる。【００１３】  請求項２に記載の発明では、前記コイルバネの前記一端部は前記コイル部の外周の接線上に沿い前記アンカーボルトの離脱方向に延出し、前記一端部の先端が前記アンカーナットの外周以内になるよう前記開口に突出するので、前記アンカーボルトの離脱方向への回転によって前記コイルバネが引きずられて回動し、前記コイルバネの前記他端部の先端が前記開口の側面に当たり、これにより前記コイルバネが外方へ広がり、前記雄ネジ溝に密着する前記コイル部との間に隙間ができ、摩擦が無くなるか、あるいは軽減する等で自由に回転できるようになり、前記アンカーボルトが緩められ前記アンカーボルトの前記雄ネジ溝を保護しながら前記アンカーナットから支障なく離脱できる。【００１４】  請求項３に記載の発明では、前記コイルバネが前記バネ収納室から抜け出ることを阻止する抜け止め手段を備えるので、構築物に前記アンカーナットを埋め込む際、前記スリットに前記コイルバネの前記一端部を軸方向に移動可能にしていても、前記コイルバネが前記アンカーナットから抜け出ないようにすることができる。
【図面の簡単な説明】
【００１５】
【図１】この発明における拡張アンカー装置の第１実施態様を示す斜視図。
【図２】この発明における拡張アンカー装置の第１実施態様を示す断面図。
【図３】図２のＡ−Ａ線に沿う断面図。
【図４】この発明の拡張アンカー装置の第２実施態様を示す要部の断面図。
【図５】この発明の拡張アンカー装置の第２実施態様を示す要部の側面図。
【発明を実施するための形態】
【００１６】  以下、この発明における拡張アンカー装置の第１の実施の形態について説明する。この発明の実施の形態は、発明の最も好ましい形態を示すものであり、この発明はこれに限定されない。
【００１７】  この発明における第１の実施の形態を、図１および図３に基づいて説明する。図１は拡張アンカー装置を実施した一例を示すもので、符号１で示されるものは拡張アンカーで、コンクリートなどの構築物Ｂに埋め込まれる。
【００１８】  前記拡張アンカー１は、筒状の周壁２ａの内周面に雌ネジ溝２１が形成され、底部２ｂ側に複数の割り溝２２が設けられて拡開可能な拡開部２３を有するアンカーナット２と、前記拡開部２３に挿入されるコーン３と、前記雌ネジ溝２１の螺合する雄ネジ溝４１を有するアンカーボルト４とを備える。
【００１９】  符号５は、等間隔のコイルピッチを有するコイル部５１よりなるコイルバネで、このコイルバネ５の前記コイル部５１の外周の接線上に沿い前記アンカーボルト４の離脱方向Ｒに延出した一端部５２と、前記コイルバネ５の前記コイル部５１の軸線に対して平行に前記アンカーナット２の底部２ｂ側に向かって延出する他端部５３とよりなる。
【００２０】  前記コイルバネ５は前記アンカーナット２の前記周壁２ａの内周面に形成したバネ収納部２４に設置し、このバネ収納部２４は前記雌ネジ溝２１より前記アンカーナット２の先端部２ｃ側に位置させる。
【００２１】  前記アンカーナット２の前記周壁２ａを切欠いて開口２６とし、この開口２６に前記コイルバネ５の前記コイル部５１の外周の接線上に沿い前記アンカーボルト４の離脱方向Ｒに延出した前記一端部５２が非接触状態にて突出し、その先端は、前記アンカーナット２の外周以内とする。
【００２２】  前記コイルバネ５の前記他端部５３が係止するスリット２５を一対の前記割り溝２２の延長線Ｌ―Ｌ間に穿設し、筒状の前記アンカーナット２の強度の低下を防止する。また、前記スリット２５を前記ネジ収納部２４の深さより長く切り込む。
【００２３】  前記スリット２５に前記コイルバネ５の前記他端部５３が係止することにより、前記コイルバネ５の前記アンカーナット２に対する回動を規制するとともに、前記コイルバネ５の前記他端部５３を軸方向に移動可能にする。
【００２４】  前記コイルバネ５の前記他端部５３を前記スリット２５に円滑に差し込むため、前記スリット２５の先端側に前記スリット２５の開口幅より広い挿通口２５ａを形成し、これにより前記コイルバネ５のコイル部５１より前記他端部５３に延出する屈曲箇所Ｃが干渉しないようにする。
【００２５】  符号２７は、前記バネ収納室２４に設置した前記コイルバネ５が抜け出ることを阻止する抜け止め手段で、前記アンカーナット２の前記先端部２ｃに設けたカシメ部２８よりなり、前記スリット２５に前記コイルバネ５の前記他端部５３を軸方向に移動可能にしても、前記構築物Ｂに前記アンカーナット２を埋め込まれた際、前記コイルバネ５が前記バネ収納部２４から抜け出ないようになる。
【００２６】  この実施の態様では、前記コイルバネ５の前記他端部５３が前記アンカーナット２の前記雌ネジ溝２１の加工開始点Ｐに一致するよう前記コイルバネ５を前記バネ収納部２４に配置することにより、前記コイル部５１と前記雌ネジ溝２１が連続した螺旋になり、前記吊ボルト４の螺合を円滑に行うことができる。
【００２７】  前記コイルバネ５の配置状態では、前記コイル部５１と前記周壁２ａとの間にスペースがあり、このスペースにより前記コイル部５１が外方へ広がること許容する。これにより、前記アンカーボルト４の前記雄ネジ溝４１に密着する前記コイル部５１との間に隙間をもたせることができる。なお、前記コイルバネ５の前記コイル部５１と前記周壁２ａとの間にスペースがあっても、前記コイルバネ５の前記コイル部５１のピッチ数より前記アンカーナット２の雌ネジ溝２１を長くすると、前記アンカーナット２の前記雌ネジ溝２１と前記アンカーボルト４の前記雄ネジ溝４１の螺合によって一体化することになり、このスペースによって前記アンカーボルト４が前記アンカーナット２に螺合する際、前記アンカーボルト４がガタつくことがない。
【００２８】  以上のように構成された実施の形態についての使用を説明すると、図１に示すように、前記アンカーナット２の前記底部２ｂに前記コーン３を差し込んで仮止めしたものを、打込み治具（図示せず）等を介在させて前記アンカーナット２をハンマーで叩打し、前記アンカーナット２を前記下穴６に打ち込むとともに、前記コーン３が前記拡開部２３に打ち込まれ、これにより前記割り溝２２を開いて前記拡開部２３を押し広げ、前記構築物Ｂに固定される。
【００２９】  次に、前記アンカーナット２の前記先端部２ｃより前記コイルバネ５を挿入し前記バネ収納部２３内に配置し、前記アンカーナット２の前記先端部２ｃにカシメ部２８を形成して前記コイルバネ５が前記バネ収納部２４から抜け出ることを阻止する。
【００３０】  前記コイルバネ５を前記バネ収納部２４に配置した前記アンカーナット２に前記アンカーボルト４を螺合する際、前記コイルバネ５の前記コイル部５１に前記アンカーボルト４の前記雄ネジ溝４１が螺合し始めると、前記コイルバネ５の前記他端部５３が前記スリット２５内で軸方向に移動し、前記アンカーボルト４の前記雄ネジ溝４１のピッチに前記コイル部５１のピッチが合致するようになるとともに、前記バネ収容部２４内において前記アンカーボルト４の前記雄ネジ溝４１に嵌った前記コイルバネ５の前記コイル部５１は、前記他端部５３を支点として外方へ広がり、前記アンカーボルト４の前記雄ネジ溝４１と接触している前記コイルバネ５の素線の摩擦力が軽減され、さらに、前記アンカーナット２の前記雌ネジ溝２１に対し前記アンカーボルト４を螺合方向に回転すると、前記アンカーナット２の前記雌ネジ溝２１に前記アンカーボルト４の前記雄ネジ溝４１がネジ込まれる。
【００３１】  前記アンカーボルト４が螺合された前記コイルバネ５の前記コイル部５１は、前記アンカーボルト４の前記雄ネジ溝４１に嵌り込み、前記コイル部５１の素線の弾性力により前記アンカーボルト４の軸中心に向って押さえ付けられる。そして、前記アンカーボルト４の螺合方向への回転に伴い前記アンカーボルト４の前記雄ネジ溝４１に前記コイル部５１が密着していることにより、前記コイルバネ５が引きずられて回動しても、前記コイルバネ５の前記一端部５２は前記コイル部５１の外周の接線上に沿い前記アンカーボルト４の離脱方向Ｒに延出するので、前記コイルバネ５の前記一端部５２の先端が前記開口２６の側面に当接することがなく、前記アンカーナット２の前記雌ネジ溝２１に前記アンカーボルト４の前記雄ネジ溝４１が円滑に螺合する。
【００３２】  そして、前記構築部Ｂからの振動が伝わり、前記アンカーナット２の前記雌ネジ溝２１に対し前記アンカーボルト４に離脱方向Ｒの回転が生じても、前記バネ収容部２４内において前記コイルバネ５は、前記他端部５３を支点として内径方向に収縮する状態となるよう前記コイルバネ５の前記コイル部５１の素線が引っ張られて前記アンカーボルト４の前記雄ネジ溝４１を締め付け、強力な緩み止め状態にされる。このため、前記コイルバネ５と一体となった前記アンカーボルト４は前記コイルバネ５の前記コイル部５１の部分で回転が規制されて緩まなくなる。
【００３３】  前記アンカーボルト４を前記アンカーナット２から離脱させるため、前記アンカーボルト４を離脱方向Ｒへ回転すると、この回転に伴い前記アンカーボルト４の前記雄ネジ溝４１に前記コイルバネ５の前記コイル部５１が密着し摩擦力を増加させて回転を阻止するが、この回転以上の力で回転をさせると、前記アンカーボルト４の回転によって前記コイルバネ５が引きずられて回動し、前記コイルバネ５の前記一端部５２の先端が前記開口２６の側面に当たり、これにより前記コイルバネ５が外方へ広がり、摩擦がなくなるか、あるいは軽減する等で自由に回転できるようになり、前記アンカーボルト４を緩められ前記アンカーボルト４の前記雄ネジ溝４１を保護しながら前記アンカーナット２から容易に離脱することができる。
【００３４】  しかし、場合によっては、前記アンカーボルト４の離脱方向へ回転させる力が大きくなり過ぎ、前記他端部５３を係止している前記スリット２５に負荷が集中してかかることになり、前記スリット２５が破損したり、変形し、また前記他端部５３が破損したり、伸びる等変形して前記バネ収容部２４の前記スリット２５から外れて係止が解除されることもある。
【００３５】  次に、第２の実施の形態について、図４および図５に基づいて説明する。この実施の形態において第１の実施の形態と同じ構成は同一の符号を付して説明する。
【００３６】  この第２の実施の形態では、第１の実施の形態で説明している前記アンカーナット２の前記周壁２ａの内周面に形成した前記バネ収納部２４に前記コイルバネ５１を設置する。
【００３７】  前記コイルバネ５は等間隔のコイルピッチを有するコイル部５１と、このコイルバネ５の前記コイル部５１の外周の接線上に沿い前記アンカーボルト４の離脱方向に延出した前記一端部５２と、前記コイル部５１の軸線に対して平行に前記アンカーナット２の前記底部２ｂ側に向かって延出する前記他端部５３よりなるが、この他端部５３は前記コイル部５１の外側の位置で、前記コイル部５１の軸方向と平行に屈曲し、前記先端部２ｃ側に延出してもよい。
【００３８】  前記コイルバネ５の前記他端部５３は、前記ネジ収納部２４の深さより長く切り込む前記スリット２４に前記コイル部５１の軸方向に移動可能に係止する。
【００３９】  しかも、この第２の実施の形態では、前記コイルバネ５が前記バネ収納室２４から抜け出ることを防止する抜け止め手段７として、前記他端部５３に湾曲部５４を設け、弾性的に前記スリット２５の内側面に接触させて生じる摩擦により、前記コイルバネ５が前記バネ収納室２３から抜け難くする。
【００４０】  前記コイルバネ５の前記一端部５２は、第１の実施の形態と同じように前記スリット２５に対向する前記周壁２ａを切欠いた開口２６に前記コイルバネ５の前記コイル部５１の外周の接線上に沿い前記アンカーボルト４の離脱方向に延出し、前記開口２６に非接触状態で突出する。前記コイルバネ５の前記一端部５２の先端は、前記アンカーナット２の外周以内とし前記コイルバネ５の自由端にする。
【００４１】  以上の構成における拡張アンカー装置において、前記アンカーナット２に螺合した前記アンカーボルト４の離脱方向への回転に対し、前記アンカーボルト４の前記雄ネジ溝４１に前記コイルバネ５の前記コイル部５１が密着し摩擦力により回転を規制するので、前記構築物Ｂから前記アンカーナット２に伝わる振動などで、前記アンカーナット２に螺合した前記アンカーボルト４が緩み脱落することを確実に防止でき、しかも、前記アンカーボルト４に配置する前記コイルバネ５を前記アンカーボルト４の前記雄ネジ４１に容易にネジ込むことできる。
【００４２】  また、前記コイルバネ５は前記コイル部５１の軸線に対して平行に延出する前記他端部５３、５４を、前記アンカーナット２の前記周壁２ａに穿設した前記スリット２５に軸線方向に移動可能にするので、前記コイルバネ５を前記バネ収納室２４に配置した前記アンカーナット２に前記アンカーボルト４を挿入して、前記コイルバネ５の前記コイル部５１に前記アンカーボルト４の前記雄ネジ溝４１を螺合すると、前記コイルバネ５の前記他端部５３が前記スリット２５内で軸方向に移動し、前記アンカーボルト４の前記雄ネジ溝４１のピッチに前記コイル部５１のピッチが合致するように調整できる。
【００４３】  前記コイルバネ５の前記一端部５２を前記コイルバネ５の前記コイル部５１の外周の接線上に沿い前記アンカーボルト４の離脱方向Ｒに延出し、前記アンカーナット２の外周以内に突出してなるので、前記アンカーボルト４を前記アンカーナット２より取り外す際、前記アンカーボルト４の離脱方向Ｒへの回転によって前記コイルバネ５が引きずられて回動し、前記コイルバネ５の前記一端部５２の先端が前記開口２５の側面に当たり、これにより前記コイルバネ５が外方へ広がり、前記アンカーボルト４の前記雄ネジ溝４１に密着する前記コイル部５１との間に隙間ができ、摩擦が無くなるか、あるいは軽減する等で自由に回転できるようになり、前記アンカーボルト４が緩められ前記アンカーボルト４の前記雄ネジ溝４１を保護しながら前記アンカーナット２から支障なく離脱できる。
【００４４】  前記コイルバネ５が前記バネ収納部２４から抜け出ることを阻止する抜け止め手段２７として、前記アンカーナット２の前記先端部２ｃに前記カシメ部２８を形成するとか、前記スリット内に差し込まれたコイルバネの前記他端部５３に湾曲部５４を設け、弾性的に前記スリット２４の内側面に接触して生じる摩擦で保持されるとかにより、前記スリット２５に前記コイルバネ５の前記他端部５３が軸方向に移動可能になっていても、前記コイルバネ５が前記バネ収納部２４から抜け出ることを確実に防止できる。
【産業上の利用可能性】
【００４５】  この発明は、構築物からの振動が伝わるアンカーナットに螺合したアンカーボルトの緩みを確実に防ぎ、しかも、アンカーボルトがアンカーナットへ容易に装着できる拡張アンカー装置である。
【符号の説明】
【００４６】  １        拡張アンカー
２        アンカーナット
２ａ      周壁
２ｂ      底部
２ｃ      先端部
２１      雌ネジ溝
２２      割り溝
２３      拡開部
２４      バネ収納部
２５      スリット
２５ａ    挿通口
２６      開口
２７      抜け止め手段
２８      カシメ部
３        コーン
４        アンカーボルト
４１      雄ネジ溝
５        コイルバネ
５１      コイル部
５２      一端部
５３      他端部
５４      湾曲部
６        下孔
Ｂ        構築物
Ｃ        屈曲箇所
Ｒ        アンカーボルトの離脱方向
Ｌ        割り溝の延長線
Ｐ        雌ネジ溝の加工開始点
【図１】
2017166687.tif 000003
【図２】
2017166687.tif 000004
【図３】
2017166687.tif 000005
【図４】
2017166687.tif 000006
【図５】
2017166687.tif 000007